(57)【特許請求の範囲】
【請求項１】
建具における枠材上面の貫通孔に取り付けられて当該枠材上面の水を下方に排水する排水部品であって、
前記貫通孔に挿通される筒状部と、
前記筒状部の上端に連続して設けられる上面部と、
前記筒状部の下端に連続して設けられる排水部と、
前記筒状部の内部に設けられて排水位置と非排水位置とに移動可能な弁部材とを備え、
前記筒状部の上端部と前記上面部との間には、側方に開口して前記枠材上面の水を受け入れる少なくとも１つの受入口が形成され、
前記筒状部の内周上部には、前記受入口から受け入れた水を下方に通すとともに、非排水位置に移動した前記弁部材で閉塞可能な通水口が形成され、
前記弁部材は、前記筒状部の内部に設けられた球状部材で構成され、前記排水部側に移動した前記排水位置と前記通水口を塞ぐ前記非排水位置との間を上下移動自在に設けられ、
前記排水部は、前記筒状部から下方に延びる複数の垂下片と、これら複数の垂下片の下端から各々内方に折れ曲がった折曲片とを有して構成され、
前記複数の折曲片間には、排水位置に移動した前記弁部材の下側から水を下方に排水可能な第１排水口が形成され、
前記垂下片間には、前記第１排水口よりも上方にて側方に開口して前記弁部材の側方から水を排水可能であるとともに、前記受入口の排水面積よりも大きな排水面積が設定された第２排水口が形成され、
前記第２排水口の高さ寸法は、前記折曲片の上面から前記第２排水口の上端縁までの距離で決定され、
前記排水位置における球状部材の高さ寸法は、前記折曲片の上面から前記球状部材の上端までの距離で決定され、
前記第２排水口の高さ寸法は、前記排水位置における球状部材の高さ寸法の１／２よりも大きく、かつ前記排水位置における球状部材の高さ寸法以下に設定されている排水部品。
【請求項２】
前記受入口の高さ寸法は、２mm〜５mmの範囲に設定されている請求項１に記載の排水部品。
【請求項３】
上枠、下枠および左右の縦枠からなる枠体と、この枠体に支持される面材とを備えた建具であって、
前記下枠における前記面材よりも屋内側に位置する下枠上面に請求項１または請求項２に記載の排水部品が取り付けられている建具。
【発明の詳細な説明】
【技術分野】
【０００１】
本発明は、排水部品および建具に関し、詳しくは、枠材上面の貫通孔に取り付けられて当該枠材上面の水を下方に排水する排水部品、この排水部品を備えた建具に関する。
【背景技術】
【０００２】
従来、枠材に付着して落下し下枠上面に溜まった結露水を排水する排水部品として、枠材である下枠上面の貫通孔に取り付けられる排水部品が知られている（例えば、特許文献１参照）。
この排水部品は、貫通孔に挿通される筒部と、筒部の上方に設けられる頭部と、筒部と頭部との間で側方に開口した浸入口と、筒部の下端部で下方に開口した排水孔と、筒部の内部に上下移動自在に設けられる弁とを備えて構成されている。そして、浸入口から入った水は、筒部の内部を落下して排水孔と弁との隙間から下方に排水されるように構成されている。
【先行技術文献】
【特許文献】
【０００３】
【特許文献１】実開昭６２−４０１９２号公報
【発明の概要】
【発明が解決しようとする課題】
【０００４】
しかしながら、特許文献１に記載された従来の排水部品では、排水孔と弁との狭い隙間から下方に向かって水が排水されるために排水性が劣り、水の表面張力などによって隙間に付着した水が筒部の内部に溜まってしまう可能性があり問題である。
【０００５】
本発明の目的は、排水性の向上を図ることができる排水部品および建具を提供することにある。
【課題を解決するための手段】
【０００６】
本発明の排水部品は、建具における枠材上面の貫通孔に取り付けられて当該枠材上面の水を下方に排水する排水部品であって、前記貫通孔に挿通される筒状部と、前記筒状部の上端に連続して設けられる上面部と、前記筒状部の下端に連続して設けられる排水部と、前記筒状部の内部に設けられて排水位置と非排水位置とに移動可能な弁部材とを備え、前記筒状部の上端部と前記上面部との間には、側方に開口して前記枠材上面の水を受け入れる少なくとも１つの受入口が形成され、前記筒状部の内周上部には、前記受入口から受け入れた水を下方に通すとともに、非排水位置に移動した前記弁部材で閉塞可能な通水口が形成され、前記弁部材は、前記筒状部の内部に設けられた球状部材で構成され、前記排水部側に移動した前記排水位置と前記通水口を塞ぐ前記非排水位置との間を上下移動自在に設けられ、前記排水部は、前記筒状部から下方に延びる複数の垂下片と、これら複数の垂下片の下端から各々内方に折れ曲がった折曲片とを有して構成され、前記複数の折曲片間には、排水位置に移動した前記弁部材の下側から水を下方に排水可能な第１排水口が形成され、前記垂下片間には、前記第１排水口よりも上方にて側方に開口して前記弁部材の側方から水を排水可能であるとともに、前記受入口の排水面積よりも大きな排水面積が設定された第２排水口が形成され、前記第２排水口の高さ寸法は、前記折曲片の上面から前記第２排水口の上端縁までの距離で決定され、前記排水位置における球状部材の高さ寸法は、前記折曲片の上面から前記球状部材の上端までの距離で決定され、前記第２排水口の高さ寸法は、前記排水位置における球状部材の高さ寸法の１／２よりも大きく、かつ前記排水位置における球状部材の高さ寸法以下に設定されていることを特徴とする。
【０００７】
以上の本発明によれば、第１排水口から下方に排水するとともに、それよりも上方に形成した第２排水口を介して弁部材の側方からも排水することで、排水性を向上させることができる。従って、筒状部の内部に水が滞留してしまうことがなく、滞留した水の逆流なども防止することができる。また、気圧差によって当該排水部品の下方に水が上昇して第１排水口まで水面が達した場合であっても、第１排水口よりも上方にて第２排水口が側方に開口していることで、受入口側が負圧になって筒状部内を水が上昇することが防止できるとともに、第１排水口から水が入り込んだとしても、この水を第２排水口から排水することができる。
【０００８】
この際、本発明の排水部品では、前記排水部は、前記筒状部から下方に延びる複数の垂下片と、これら複数の垂下片の下端から各々内方に折れ曲がった折曲片とを有して構成され、前記第１排水口は、前記複数の折曲片間に形成され、前記第２排水口は、隣り合う前記垂下片間に形成されていることが好ましい。
このような構成によれば、複数の垂下片および折曲片によって排水部を形成するとともに、複数の折曲片間に第１排水口を形成し、垂下片間に第２排水口を形成することで、第１排水口と第２排水口とを連続させることができ、水が付着する面を少なくすることで排水性をさらに向上させることができる。
【０００９】
このような本発明によれば、受入口の排水面積よりも第２排水口の排水面積を大きく形成することで、受入口から入った水を確実に第２排水口から排水することができ、排水性をより一層高めることができる。ここで、受入口および第２排水口の各排水面積としては、各々の開口高さ、開口幅および開口数の積から算出される総排水面積を意味する。
【００１０】
このような本発明によれば、球状部材から弁部材を構成した場合に、その排水位置における高さ寸法の１／２よりも第２排水口の高さ寸法を大きく形成することで、排水位置にある球状部材によって第２排水口が塞がれることがなく、球状部材の上面側に落下した水が第２排水口に向かって流れ、この水を第２排水口からスムーズに排水することができる。
【００１１】
さらに、本発明の排水部品では、前記受入口の高さ寸法は、２mm〜５mmの範囲に設定されていることが好ましい。
このような構成によれば、受入口の高さ寸法を２mm〜５mmの範囲（より好ましくは、３mm〜４mmの範囲）に設定することで、枠材上面において表面張力によって所定の高さを有して滞留しようとする水に排水部品の上面部を接触させ、接触した水を受入口に引き寄せて排水することができ、枠材上面の残水を防止することができる。
【００１２】
一方、本発明の建具は、上枠、下枠および左右の縦枠からなる枠体と、この枠体に支持される面材とを備えた建具であって、前記下枠における前記面材よりも屋内側に位置する下枠上面に前述した本発明の排水部品が取り付けられていることを特徴とする。
ここで、本発明の建具としては、建物の外壁等に設けられる窓でもよいし、建物の外壁を構成するカーテンウォールでもよいし、建物の屋内外を仕切る出入り口用建具や建物内部の浴室等に設けられる出入り口用建具であってもよい。また、建具が窓の場合には、引違いや、片引き、上げ下げ等の適宜な開閉形式によって面材が開閉自在に設けられたものでもよいし、面材が開閉不能に設けられた嵌め殺し窓であってもよい。
このような構成によれば、前述したような排水性に優れた排水部品を面材の屋内側にて下枠上面に取り付けることで、枠体や面材の屋内面に生じた結露水等を排水部品を介して屋外側に排水することができ、屋内空間の快適性を確保することができる。
【図面の簡単な説明】
【００１３】
【図１】本発明の実施形態に係る建具の一部を示す縦断面図である。
【図２】前記建具に設けられる排水部品を示す縦断面図である。
【図３】前記排水部品を示す斜視図である。
【図４】前記排水部品の排水状態を示す縦断面図である。
【図５】前記排水部品の非排水状態を示す縦断面図である。
【発明を実施するための形態】
【００１４】
以下、本発明の実施形態に係る建具としての嵌め殺し窓１を図面に基づいて説明する。
図１において、嵌め殺し窓１は、ビル等の外壁位置に設けられるカーテンウォールの一部を構成するものであって、図示しない上枠、下枠２および左右の縦枠３を四周枠組みした枠体４と、この枠体４内部にシール材５を介して固定される面材としての複層ガラス６とを備えて構成されている。下枠２は、見込み方向（屋内外方向）に延びる底面部２１と、この底面部２１の屋内側に連続して上下に延びる屋内見付け面部２２と、底面部２１の屋外側に連続して上下に延びる屋外見付け面部２３と、屋内見付け面部２２の上端部から屋外側に延びる下枠上面部２４とを有して上方に開口して形成され、複層ガラス６は、セッティングブロック７を介して底面部２１上に支持されるとともに、シール材５を介して下枠上面部２４と屋外見付け面部２３との間に保持されている。また、下枠２は、底面部２１の下面から下方に延びる垂下面部２５と、この垂下面部２５の下端部から屋外側に延びて折れ曲がる水切り面部２６とを有して形成されている。
【００１５】
下枠上面部２４には、その長手方向（図１中、紙面奥行き方向）の適宜な位置、例えば、左右両端部の縦枠３の近傍位置に貫通孔２４１が形成され、この貫通孔２４１に排水部品１０が取り付けられている。排水部品１０は、図２、３にも示すように、樹脂製で一体成形された排水部品本体１１と、この排水部品本体１１に遊挿された弁部材としてのボール（球状部材）１２とを有して構成されている。排水部品本体１１は、貫通孔２４１に挿通される筒状部１３と、筒状部１３の上端に連続して設けられる上面部１４と、筒状部１３の下端に連続して設けられる排水部１５とを備え、ボール１２は、筒状部１３の内部において下方の排水位置と上方の非排水位置との間を上下移動可能に設けられている。また、筒状部１３の上端部と上面部１４との間には、互いに反対向きの側方に開口する受入口１６が形成され、これらの受入口１６から下枠上面部２４上の水を筒状部１３の内部に受け入れ可能に構成されている。さらに、筒状部１３の内周上部には、受入口１６から受け入れた水を下方に通す通水口１７が形成されており、この通水口１７は、非排水位置である上方に移動したボール１２によって閉塞可能に構成されている。
【００１６】
また、排水部品１０の排水部１５は、筒状部１３から下方に延びる４つの垂下片１５１と、これら４つの垂下片１５１の下端から各々内方に折れ曲がった折曲片１５２とを有して構成され、４つの折曲片１５２の先端によって、排水位置のボール１２が落下しないように支持する弁支持部１５Ａが構成されている。また、４つの折曲片１５２の先端間には、排水位置に移動したボール１２の下側から水を下方に排水可能な第１排水口１８が形成され、隣り合う垂下片１５１の間には、第１排水口１８よりも上方にて側方に開口してボール１２の側方から水を排水可能な第２排水口１９が形成されている。すなわち、第１排水口１８と第２排水口１９とは互いに連続して形成されている。また、各垂下片１５１の周方向の幅寸法Ｂ１は、隣り合う垂下片１５１の間隔寸法である第２排水口１９の幅寸法Ｂ２よりも小さく形成され、すなわち、排水部１５の周方向に沿った第２排水口１９の排水面積は、排水部１５の側面積よりも大きくなるように設定されている。
【００１７】
また、図２に示すように、下枠上面部２４に排水部品１０を取り付けた状態において、受入口１６の有効高さ寸法Ｈ１は、下枠上面部２４の上面から受入口１６の上端縁である上面部１４下面までの距離で決定され、この有効高さ寸法Ｈ１は、下枠上面部２４に滞留する水がその表面張力で集まる際の水高さよりも小さくなるように、２mm〜５mmの範囲に設定されている。なお、受入口１６のさらに好ましい有効高さ寸法Ｈ１としては、３mm〜４mmの範囲である。そして、第２排水口１９の幅寸法Ｂ２は、受入口１６の有効高さ寸法Ｈ１よりも大きく形成されていることが好ましい。また、第２排水口１９の高さ寸法Ｈ２は、折曲片１５２の上面から当該第２排水口１９の上端縁までの距離で決定され、この高さ寸法Ｈ２は、排水位置のボール１２上端までの高さ寸法Ｈ３の１／２よりも大きく、かつ高さ寸法Ｈ３以下になる（Ｈ３／２＜Ｈ２≦Ｈ３）ように設定されている。さらに、第２排水口１９の排水面積（Ｂ２×Ｈ２×４）は、受入口１６の排水面積よりも大きく設定されている。なお、第２排水口１９の高さ寸法Ｈ２がボール１２上端までの高さ寸法Ｈ３以下であり、第２排水口１９の幅寸法Ｂ２が筒状部１３の内周長未満であることから、第２排水口１９の排水面積の上限が規定されている。
【００１８】
以上のような排水部品１０を取り付けたことで、図４に示すように、下枠上面部２４に溜まった結露水等の水Ｗは、受入口１６から受け入れられて通水口１７から筒状部１３の内部に受け入れられ、一部の水Ｗは筒状部１３の内周面を伝わって流れ落ちるとともに、他の水Ｗは、排水位置のボール１２上に落下する。そして、排水部１５に到達した水Ｗは、一部がボール１２の側方に向かって第２排水口１９から排水され、他の水Ｗが垂下片１５１やボール１２を伝わって流れ落ちてボール１２の下方に向かって第１排水口１８から排水される。このように排水部品１０から排水された水Ｗは、下枠２の底面部２１上に落下してから、図示しない排水孔を介して屋外空間に排出されることとなる。
【００１９】
一方、図５に示すように、屋外側から気圧差によって雨水等の水Ｗ１が吹き込んだ場合には、排水部品１０のボール１２が上方の非排水位置に移動して通水口１７を閉塞するようになっている。従って、吹き込んだ水Ｗ１は、第１排水口１８や第２排水口１９から筒状部１３の内部に入り込んだとしても、ボール１２に阻止されて通水口１７よりも上方に浸入できず、屋内側への漏水が防止できるようになっている。また、下枠２の内部である底面部２１に水Ｗ１が溜まって排水部品１０の下端部まで水面が到達した場合において、第１排水口１８が水Ｗ１で塞がれたとしても、第２排水口１９が開口していることにより、筒状部１３に吸引力が作用せず、屋内側への水Ｗ１の浸入を確実に防止することができ、止水性能を向上させることができる。
【００２０】
以上の実施形態によれば、排水部品１０において第１排水口１８よりも上方に第２排水口１９が形成されているので、筒状部１３に受け入れた水Ｗを第１排水口１８から下方に排水するとともに、第２排水口１９からも排水することができ、排水性を向上させることができる。また、屋内外の気圧差によって排水部品１０の下方から筒状部１３に水Ｗ１が入ったとしても、ボール１２で通水口１７を閉塞することで、屋内側への浸入を確実に防止することができる。さらに、下枠２の内部に溜まった水Ｗ１が上昇して水面が第１排水口１８まで達した場合であっても、第２排水口１９が側方に開口していることで、筒状部１３内を水Ｗ１が上昇することがなく、また、水Ｗ１が筒状部１３内に入り込んだとしても、この水Ｗ１を第２排水口１９から排水することができる。従って、屋内側の結露水等の水Ｗを屋外側に排水する排水性能を向上させることができるとともに、屋外側からの雨水等の水Ｗ１の浸入を防止して止水性能を向上させることもできる。
【００２１】
なお、本発明は、前記実施形態に限定されるものではなく、本発明の目的を達成できる他の構成等を含み、以下に示すような変形等も本発明に含まれる。
例えば、前記実施形態では、建具として、カーテンウォールの一部を構成する嵌め殺し窓１を例示したが、本発明の建具は、カーテンウォールに用いられるものに限らず、建物の外壁に設けられる各種の窓であってもよいし、屋内外の出入り口や浴室等の出入り口に用いられる出入り口用建具であってもよい。
また、前記実施形態では、面材である複層ガラス６が固定された嵌め殺し窓１を例示したが、窓としては、嵌め殺し窓１に限らず、面材である障子が開閉可能に支持された引違い窓や片引き窓、上げ下げ窓、開き窓などの各種開閉形式を有する窓であってもよい。
【００２２】
また、前記実施形態では、排水部品１０の弁部材として上下移動自在に設けられたボール（球状部材）１２を例示したが、これに限らず、弁部材としては、例えば、筒状部１３の内部に回動自在またはスライド自在に支持された開閉弁などであってもよい。そして、回動自在な開閉弁としては、一端が筒状部１３の内部に軸支された一対の弁部材の他端同士が接近することで非排水状態となり、弁部材の他端同士が離隔することで排水状態となるものが例示できる。また、スライド自在な開閉弁としては、筒状部１３の上部に上下スライド自在に支持されかつ下端部に傘状の膨出部を有した弁部材と、筒状部１３の内周面に形成した傾斜面とを備えて構成され、弁部材が下方にスライドすることで膨出部と傾斜面とが離隔して排水状態となり、弁部材が下方にスライドすることで膨出部と傾斜面とが接近または接触して非排水状態となるものが例示できる。
また、前記実施形態では、４つの垂下片１５１の間に第２排水口１９を形成したが、これに限らず、２つまたは３つの垂下片１５１間に第２排水口が形成されていてもよいし、５つ以上の垂下片１５１間に第２排水口が形成されていてもよい。
また、第２排水口は、垂下片１５１間に形成されるものに限らず、筒状部１３を下方に延長した筒の側面に形成した孔で構成されてもよく、この場合には、第１排水口は、延長した筒の底面に開口して形成されていればよい。このように、本発明の排水部品においては、第１排水口と第２排水口とが互いに連通されない状態で形成されていてもよい。
【００２３】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００２４】
１…嵌め殺し窓（建具）、２…下枠、３…縦枠、４…枠体、６…複層ガラス（面材）、１０…排水部品、１２…ボール（弁部材、球状部材）、１３…筒状部、１４…上面部、１５…排水部、１６…受入口、１７…通水口、１８…第１排水口、１９…第２排水口、２４…下枠上面部、１５１…垂下片、１５２…折曲片、Ｗ，Ｗ１…水。
【図１】
0005571368.tif 000002
【図２】
0005571368.tif 000003
【図３】
0005571368.tif 000004
【図４】
0005571368.tif 000005
【図５】
0005571368.tif 000006